(57)【要約】【課題】容器本体と異なる種類の樹脂で形成された別体の吊り具が非分離に係止された吊り具付き樹脂製容器を、容易に分別回収できるようにすることである。【解決手段】容器本体１の拡径部１ｃで係止された吊り具２の環状基部２ａに、円周方向の１箇所で低強度部３を設け、この低強度部３の両側に、低強度部３を切り離すように引っ張るための把手部４を設けることにより、容器本体１と異なる種類の樹脂で形成された別体の吊り具２が非分離に係止された吊り具付き樹脂製容器を、容易に分別回収できるようにした。【選択図】図２
2008094432.tif 000002
【特許請求の範囲】
【請求項１】
プリフォームから２軸延伸ブロー成形で成形される樹脂製容器の底部に、容器本体とは異なる種類の樹脂で形成され、前記容器本体の底部に沿わされる環状基部と、環状基部から延出された吊り下げ部とを有する吊り具を、この環状基部を通して前記ブロー成形で膨出される前記容器本体を形成する樹脂を環状基部の内径よりも拡径した拡径部で非分離に係止した吊り具付き樹脂製容器において、前記拡径部で係止された環状基部を円周方向で切り離して、前記吊り具を前記容器本体の底から除去する吊り具除去手段を設けたことを特徴とする吊り具付き樹脂製容器。
【請求項２】
前記吊り具除去手段が、前記環状基部に円周方向の少なくとも１箇所で低強度部を設け、この環状基部の低強度部の少なくとも片側に、低強度部を切り離すように引っ張るための把手部を設けたものである請求項１に記載の吊り具付き樹脂製容器。
【請求項３】
前記容器本体がポリエチレンテレフタレートで形成された請求項１または２に記載の吊り具付き樹脂製容器。
【発明の詳細な説明】
【技術分野】
【０００１】
本発明は、底部に吊り具が設けられた吊り具付き樹脂製容器に関する。
【背景技術】
【０００２】
飲料等の液体を封入した樹脂製容器には、逆さに吊り下げて内部の液体を排出するために、容器本体の底部に吊り具を設けたものがある。このような吊り具付き樹脂製容器で、プリフォームから２軸延伸ブロー成形で成形される薄肉の容器には、予め吊り具部を一体に設けたプリフォームをブロー成形して、吊り具を容器本体と一体に形成したものと（例えば、特許文献１参照）、プリフォームとは別体の吊り具をブロー成形金型の底にセットし、ブロー成形時に吊り具を容器本体の底へ非分離に係止したものとがある（例えば、特許文献２参照）。特許文献２に記載されたものでは、吊り具に設けた環状基部を通して、容器本体を形成する樹脂をブロー成形で膨出させ、この膨出させた樹脂を環状基部の内径よりも拡径して吊り具を非分離に係止している。
【０００３】
２軸延伸ブロー成形で成形される薄肉容器の樹脂には、透明性、ガス遮断性、耐薬品性、耐圧性等に優れたすぐれたポリエチレンテレフタレート（ＰＥＴ）が多く用いられている。なお、ポリエチレンテレフタレートは可撓性を有する薄肉部材としたときの膜強度は強いが、厚肉部材や軸部材等の剛体としたときの曲げ強度や引張強度は、ポリプロピレン（ＰＰ）やポリエチレン（ＰＥ）等に較べるとかなり弱い。
【０００４】
【特許文献１】特開２００４−１９６３３２号公報
【特許文献２】特開平４−１３３７１５号公報
【発明の開示】
【発明が解決しようとする課題】
【０００５】
特許文献１に記載されたように、吊り具を容器本体と一体に形成した樹脂製容器は、分別回収の問題はないが、ポリエチレンテレフタレートのように曲げ強度や引張強度が弱い樹脂で形成され、吊り具に大きな吊り下げ負荷が作用する比較的大容量のものでは、吊り具の吊り下げ強度が不足する問題がある。
【０００６】
一方、特許文献２に記載されたように、吊り具を容器本体と別体で形成して非分離とした樹脂製容器は、吊り具を形成する樹脂をポリプロピレンやポリエチレン等の曲げ強度や引張強度が強いものとすることにより、吊り下げ強度は確保できるが、容器本体の底部に係止された吊り具を除去するのが難しく、吊り具の樹脂を容器本体と異なる種類の樹脂としたものは、リサイクルのための分別回収に支障を来たす問題がある。
【０００７】
そこで、本発明の課題は、容器本体と異なる種類の樹脂で形成された別体の吊り具が非分離に係止された吊り具付き樹脂製容器を、容易に分別回収できるようにすることである。
【課題を解決するための手段】
【０００８】
上記の課題を解決するために、本発明は、プリフォームから２軸延伸ブロー成形で成形される樹脂製容器の底部に、容器本体とは異なる種類の樹脂で形成され、前記容器本体の底部に沿わされる環状基部と、環状基部から延出された吊り下げ部とを有する吊り具を、この環状基部を通して前記ブロー成形で膨出される前記容器本体を形成する樹脂を環状基部の内径よりも拡径した拡径部で非分離に係止した吊り具付き樹脂製容器において、前記拡径部で係止された環状基部を円周方向で切り離して、前記吊り具を前記容器本体の底から除去する吊り具除去手段を設けた構成を採用した。
【０００９】
すなわち、拡径部で非分離に係止された環状基部を円周方向で切り離して、吊り具を容器本体の底から除去する吊り具除去手段を設けることにより、容器本体と異なる種類の樹脂で形成された別体の吊り具が係止された吊り具付き樹脂製容器を、容易に分別回収できるようにした。
【００１０】
前記吊り具除去手段は、前記環状基部に円周方向の少なくとも１箇所で低強度部を設け、この環状基部の低強度部の少なくとも片側に、低強度部を切り離すように引っ張るための把手部を設けたものとすることができる。
【００１１】
上述した吊り具付き樹脂製容器は、容器本体がポリエチレンテレフタレートで形成されたものに好適である。
【発明の効果】
【００１２】
本発明の吊り具付き樹脂製容器は、容器本体の拡径部で非分離に係止された吊り具の環状基部を円周方向で切り離して、吊り具を容器本体の底から除去する吊り具除去手段を設けたので、容器本体と異なる種類の樹脂で形成された別体の吊り具が係止された吊り具付き樹脂製容器を、容易に分別回収することができる。
【発明を実施するための最良の形態】
【００１３】
以下、図面に基づき、この発明の実施形態を説明する。この吊り具付き樹脂製容器は、プリフォームから２軸延伸ブロー成形で成形された薄肉容器であり、図１および図２に示すように、上部に口部１ａが設けられた角型の容器本体１の底に凹部１ｂが設けられ、この凹部１ｂに別体の吊り具２が係止されている。容器本体１はポリエチレンテレフタレートで形成され、吊り具２はポリプロピレンで形成されている。
【００１４】
前記吊り具２は、容器本体１の凹部１ｂに沿わされた環状基部２ａと、環状基部２ａから延出された軸部２ｂに繋がる一対の吊り下げ部２ｃとを有し、環状基部２ａを通してブロー成形で膨出された容器本体１の樹脂を潰して、環状基部２ａの内径よりも拡径した拡径部１ｃによって、容器本体１と非分離に係止されている。
【００１５】
前記環状基部２ａには、円周方向の１箇所で薄肉に形成された低強度部３が設けられ、この低強度部３の両側で環状基部２ａにそれぞれアーム部４ａで繋がる環状の把手部４が設けられている。したがって、これらの把手部４を両側へ引っ張ることにより、環状基部２ａが低強度部３で切り離され、吊り具２を容器本体１から除去することができる。
【００１６】
また、前記各吊り下げ部２ｃの両側の基部には、薄肉に形成された折り曲げ部５が設けられ、図３に示すように、この折り曲げ部５で各吊り下げ部２ｃを中心側へ引き起こすことにより、内部の液体を排出するために逆さにした容器本体１を吊り下げることができるようになっている。
【００１７】
上述した実施形態では、環状基部を切り離す低強度部を薄肉に形成して円周方向の１箇所に設けたが、低強度部は円周方向の２箇所以上に設けることもでき、ミシン目やブリッジで形成することもできる。また、把手部も実施形態のものに限定されることはなく、低強度部を切り離すように引っ張ることができるものであればよい。
【００１８】
また、上述した実施形態では、容器本体をポリエチレンテレフタレートで形成し、吊り具をポリプロピレンで形成したが、容器本体と吊り具を形成する樹脂は、これらの実施形態のものに限定されることはない。
【図面の簡単な説明】
【００１９】
【図１】吊り具付き樹脂製容器の実施形態を示す一部切欠き正面図
【図２】図１の樹脂製容器の底面に沿った平面断面図
【図３】図１の吊り具の吊り下げ部を引き起こした状態を示す一部省略正面図
【符号の説明】
【００２０】
１  容器本体
１ａ  口部
１ｂ  凹部
１ｃ  拡径部
２  吊り具
２ａ  環状基部
２ｂ  軸部
２ｃ  吊り下げ部
３  低強度部
４  把手部
４ａ  アーム部
５  折り曲げ部
【図１】
2008094432.tif 000003
【図２】
2008094432.tif 000004
【図３】
2008094432.tif 000005